(57)【要約】【課題】食品の購入者が整然とした、順序のよい購入をすることができ、食品の購入意欲をそそることができる調理、販売自動車を提供する。【解決手段】荷台に調理装置を一式搭載した自動車である。荷台の外壁を水平方向の分割線によって上下に分割可能に構成する。外壁の分割線の上の部分は屋根を構成する。外壁の分割線の下の部分は調理済みの食品の購入者の通路板として構成する。荷台の床下には、車両の進行方向と直行する方向に筒体を配置する。この筒体の内部に引き出し梁を収納し、この引き出し梁を筒体の内部から引き出して通路部分を下から支持しうるように構成する。【選択図】          図３
0003116354.tif 000002
【実用新案登録請求の範囲】
【請求項１】
荷台に調理装置を一式搭載した自動車であって、
荷台の外壁を水平方向の分割線によって上下に分割可能に構成し、
外壁の分割線の上の部分は屋根を構成し、
外壁の分割線の下の部分は調理済みの食品の購入者の通路板として構成し、
荷台の床下には、車両の進行方向と直行する方向に筒体を配置し、
この筒体の内部に引き出し梁を収納し、
この引き出し梁を筒体の内部から引き出して通路部分を下から支持しうるように構成した、
調理、販売自動車。
【請求項２】
荷台の床下に、車両の進行方向と直行する方向に筒体を配置し、
この筒体の内部に引き出し梁を収納し、
この引き出し梁を筒体の内部から引き出して下から支持した通路板と、
地表面との間には階段を配置して構成した、
請求項１記載の、調理、販売自動車。
【考案の詳細な説明】
【技術分野】
【０００１】
本考案は、食品を車内で調理してそのまま販売することができる自動車に関するものである。
【背景技術】
【０００２】
従来から自動車に調理設備を搭載し、車両の内部で調理を行い、調理済みの食品を販売する調理、販売自動車は各種のものが知られている。
【特許文献１】特開平６−３０５３５７号公報
【特許文献２】特開平７−６９１２２号公報
【特許文献３】特開平７−１４４５７２号公報
【特許文献４】特開平８−２６０１８号公報
【特許文献５】特開平９−２８５６５号公報
【特許文献６】特開２００１−６３４４８号公報
【考案の開示】
【考案が解決しようとする課題】
【０００３】
前記した従来の調理、販売自動車にあっては、次のような問題がある。
＜１＞  一般に移動型の店は、店自体も小さいために窓口が小さく、購入を希望する者が集まると、口々に注文を行って騒然とした雰囲気になりやすい。
＜２＞  また、気の弱い人は他人を押しのけて注文をしにくく、自分の注文品がいつ受け取れるのか不安を感じる、という雰囲気がある。
【課題を解決するための手段】
【０００４】
上記の課題を解決した本考案は、荷台に調理装置を一式搭載した自動車であって、荷台の外壁を水平方向の分割線によって上下に分割可能に構成し、外壁の分割線の上の部分は屋根を構成し、外壁の分割線の下の部分は調理済みの食品の購入者の通路板として構成し、荷台の床下には、車両の進行方向と直行する方向に筒体を配置し、この筒体の内部に引き出し梁を収納し、この引き出し梁を筒体の内部から引き出して通路部分を下から支持しうるように構成した調理、販売自動車である。
【考案の効果】
【０００５】
本考案の調理、販売自動車は以上説明したようになるから次のような効果を得ることができる。
＜１＞  移動中は外壁を閉じた状態で移動することができ、その際に外壁には自由に自社の広告文字、図形を描くことができるから、広告車両としての効果を期待することができる。
＜２＞  公園、催し物場などに到着したら、荷台の外壁を分割線から上下に開くことによって、屋根と食品の購入者の通路板を一度に形成することができる。
＜３＞  通路板を形成することによって購入者が料金を払って注文し、食品を受け取るという経路が明示される。そのために一般の屋台のように大勢に購入者が団子状態に集まって各自が勝手に注文の声を上げて騒然とするようなことがなく、整然とした順序のよい購入を促すことができる。購入者の立場としても、いつ自分の番が回ってくるのか分からない、といった不満を持つことがない。
＜４＞  荷台の外壁を上下に開くと、その内側の内壁が露出する。この内壁の一部は食品の供給窓口となるが、内壁の他の部分は食品の写真や名称を記載した大きな案内板となるから、特にきれいな写真や図を大きく展示すれば購入者の購入意欲をそそることができる。
＜５＞  一般にメニューを大きく表示するためには特別な大きな看板が必要となる。しかし本件の自動車においては内壁をそのままメニューとして利用できるから、通行人が遠方から販売している食品とその価格を確認することができ、安心して注文することができる。
【実施例】
【０００６】
＜１＞自動車の形状。
本考案で使用する自動車は、運転席の後方に比較的大きな荷台Ｂを備え、この荷台Ｂは屋根２と外壁１、後方の壁板を供えた自動車である。
【０００７】
＜２＞調理装置の搭載。
この自動車の荷台Ｂには調理装置を一式搭載して調理室Ｂ１として構成する。
調理室Ｂ１に搭載する調理装置とは例えば冷蔵庫、ガス台、流し、食材を収納する引き出し、保温ジャー、フライヤー、ガス炊飯器、ホットショーケースなどである。
これらの用具が完全に作動するようにガスボンベ、浄水のタンク、汚水のタンク、発電機なども搭載する。
【０００８】
＜３＞外壁１。
この自動車の荷台Ｂの一方の外壁１は、水平方向の分割線１１によって上下に分割可能に構成する。
そのためには外壁１の上端の縁は、荷台Ｂの上梁にヒンジによって開閉自在に取付けて構成する。
一方、外壁１の下端の縁も、荷台Ｂの下梁にヒンジによって開閉自在に取付けて構成する。
その結果、外壁１の分割線１１の上の部分は屋根２を構成し、外壁１の分割線１１の下の部分は通路板３を構成する。
この通路板３の外側の縁に沿って手摺３１を取付ければ、この通路板３は、購入予定者が自動車に接近した後に料金を払い、注文し、注文品を受け取り、自動車から離れてゆく経路を形成することになる。
通路板３の位置は、自動車の床面の高さと等しく、地表から離れているから通路板３と地上との間には階段４を配置する。
この階段４はパイプの手摺と薄い踏み板で構成した簡易なものとし、簡単に通路板３への取付け、取り外しができるように構成する。
階段４は、入り口側の階段４と、出口側の階段４を用意して、購入者は入り口側の階段４から通路板３を通り、出口側の階段４を通るように案内を行う。
【０００９】
＜４＞引き出し梁。
通路板３を水平に支持するためには、荷台Ｂの床下に引き出し可能な、引き出し梁５を収納して配置しておく。
そのために、図５に示すように荷台Ｂの車体の下に、車両の進行方向と交差する方向、すなわち横断方向に向けて筒体５１を固定する。
そしてこの筒体５１の内部に引き出し梁５を収納する。
この引き出し梁５の外側の端部にはハンドル５２を取り付ける。
このハンドル５２を引けば、引き出し梁５を所定の距離だけ車体の外に露出させることができる。
この引き出し梁５の上に直接、あるいは台座を介して、通路板３を載せて安定した状態で通路板３を支持する。
【００１０】
＜５＞内壁６。
分割線１１を備えた外壁１の内側には、内壁６を設ける。
この内壁６の一部は開口して食品の供給窓７として構成する。
また内壁６の他の部分には食品の写真や名称を記載してメニュー板として利用する。
自動車の壁面の面積は広いから、供給窓７を除いた多くの部分に、調理して販売している食品の写真や名称、それに価格を大きく表示することができる。
したがって通行人は遠方からでもその自動車兼販売店の扱っている食品の種類、価格を明確に把握することができるから、安心して来店することができる。
【００１１】
＜６＞調理、販売。
調理室Ｂ１では自動車に搭載した調理設備を使用して食品の調理、販売の準備をする。
購入者は内壁６に描かれたメニューと価格を見て判断し、階段４を上がって通路板３に至る。
そこで口頭で注文するなり、あるいは自動券売機７１で購入した券を差し出して自分の購入予定の食品の注文を行う。
荷台Ｂの内部の調理室Ｂ１の調理人は、調理設備を駆使して調理した食品を供給窓７から購入者に提供する。
購入者は食品を受け取ったら、通路板３上を移動し、出口側の階段４を降りて自動車から離れてゆく。
階段４は、入り口側の階段４と出口側の階段４を用意してあり、入り口側の階段４から通路板３を通り、出口側の階段４を通るように案内してあるから、購入者は整然とした移動を行って購入することができる。
前記したように、一般に窓口の小さい移動型の店舗では購入希望者が団子状の集まり、口々に注文をするから騒然とした状態になりやすい。
また気の弱い人は他人を押しのけて注文をしにくく、自分の注文品がいつ受け取れるのか不安を感じる、という雰囲気がある。
しかし本考案の自動車であれば、入り口、注文と購入のための通路、そして出口が明確に規制してあるから、購入者も整然と、かつ安心して購入を行うことができる。
入り口の位置が明確であるから階段４から外側にも自然に整然とした列が形成されやすく、この点でも安心した購入を促すことができる。
【００１２】
＜７＞移動中。
行楽地などでの食品の販売が完了すれば、階段４を取り外した通路板３を起こし、屋根２を倒して分割線１１を一致させれば、１枚の外壁１が形成さえる。
この１枚の外壁１には自由に自社の宣伝の文字、図形を描くことができるから、自動車として公道を走行中には移動する広告体としての機能を十分に果たすことができる。
【図面の簡単な説明】
【００１３】
【図１】移動中の調理、販売自動車の説明図。
【図２】屋根と通路板を構成中の状態の説明図。
【図３】食品を販売する状態の説明図。
【図４】食品を販売している状態の説明図。
【図５】通路板を支持する引き出し梁の説明図。
【符号の説明】
【００１４】
１：外壁
２：屋根
３：通路板
４：階段
５：引き出し梁
６：内壁
７：供給窓
【図１】
0003116354.tif 000003
【図２】
0003116354.tif 000004
【図３】
0003116354.tif 000005
【図４】
0003116354.tif 000006
【図５】
0003116354.tif 000007